(57)【要約】【課題】  ユーザが少ない操作であて先を指定することができるネットワーク通信端末を得る。【解決手段】  ネットワーク通信端末１は、ＳＭＢクライアントやＦＴＰクライアント等のファイル転送機能を持つ。ある通信端末１が他の通信端末１に対しファイル転送を行う場合は、サーバ２にアクセスしてブラウザ一覧を要求する。サーバ２からブラウザ一覧を取得したら、そのブラウザ一覧からブラウズリストを要求するブラウザを選択し、選択したブラウザのブラウズリストからあて先を選択してファイルを転送する。【選択図】  図５
2005084981.tif 000002
【特許請求の範囲】
【請求項１】
ネットワークに接続するためのインターフェースを備え、ファイル転送機能を持つネットワーク通信端末において、
ファイル転送する際に、コンピュータブラウジングであて先一覧を取得し、取得結果からあて先を選択するあて先指定手段を有することを特徴とするネットワーク通信端末。
【請求項２】
ネットワークに接続するためのインターフェースを備え、ファイル転送機能を持つネットワーク通信端末において、
ファイル転送する際に、ディレクトリサーバからあて先を検索して、検索結果からあて先を選択するあて先指定手段を有することを特徴とするネットワーク通信端末。
【請求項３】
ネットワークに接続するためのインターフェースを備え、ファイル転送機能を持つネットワーク通信端末において、
ファイル転送する際に、過去のファイル転送履歴をファイル転送しようとしているユーザ毎に表示でき、そこからあて先を選択するあて先指定手段を有することを特徴とするネットワーク通信端末。
【請求項４】
ネットワークに接続するためのインターフェースを備え、ファイル転送機能を持つネットワーク通信端末において、
ファイル転送する際に、過去のユーザ毎のファイル転送履歴に基づいて順位付けしてあて先を表示し、そこからあて先を選択するあて先指定手段を有することを特徴とするネットワーク通信端末。
【請求項５】
ネットワークに接続するためのインターフェースを備え、ファイル転送機能を持つネットワーク通信端末において、
ファイル転送する際に、
コンピュータブラウジングであて先一覧を取得し、取得結果からあて先を選択する第１のあて先指定手段と、
過去のファイル転送履歴をファイル転送しようとしているユーザ毎に表示でき、そこからあて先を選択する第２のあて先選択手段と、
過去のユーザ毎のファイル転送履歴に基づいて順位付けしてあて先を表示し、そこからあて先を選択する第３のあて先指定手段と、
第１、第２、第３のあて先指定手段から１つを選択する選択手段とを有することを特徴とするネットワーク通信端末。
【請求項６】
ネットワークに接続するためのインターフェースを備え、ファイル転送機能を持つネットワーク通信端末において、
ファイル転送する際に、
ディレクトリサーバからあて先を検索して、検索結果からあて先を選択する第４のあて先指定手段と、
過去のファイル転送履歴をファイル転送しようとしているユーザ毎に表示でき、そこからあて先を選択する第２のあて先指定手段と、
過去のユーザ毎のファイル転送履歴に基づいて順位付けしてあて先を表示し、そこからあて先を選択する第３のあて先指定手段と、
第４、第２、第３のあて先指定手段から１つを選択する選択手段とを有することを特徴とするネットワーク通信端末。
【請求項７】
前記ファイル転送機能は、ＳＭＢクライアント及び／又はＦＴＰクライアントであることを特徴とする請求項１又は２記載のネットワーク通信端末。
【請求項８】
前記ファイル転送機能は、メールクライアント、ＳＭＢクライアント、ＦＴＰクライアントの全部又はいずれかであることを特徴とする請求項３又は４記載のネットワーク通信端末。
【請求項９】
前記ファイル転送機能は、メールクライアント、ＳＭＢクライアント、ＦＴＰクライアントの全部又はいずれかであることを特徴とする請求項５又は６記載のネットワーク通信端末。
【発明の詳細な説明】
【技術分野】
【０００１】
本発明は、ＳＭＢクライアントやＦＴＰクライアント等のファイル転送機能を有し、インターネットＦＡＸ装置、複合機等のネットワークに接続されるネットワーク通信端末に関するものである。
【背景技術】
【０００２】
ネットワークに接続された複数のネットワーク通信端末間でファイル転送を行う通信システムにおいて、ファイル転送する際に、ＩＰアドレスや共有フォルダへのパス名等によりあて先指定すると手間がかかるという問題があった。
従来より、ユーザ認証によって、ユーザ毎にリダイアル操作を行うことができるネットワークファクシミリ装置の制御方法（例えば、特許文献１参照）や、部門ＩＤによって、グループ毎にリダイアル操作を行うことができる通信装置（例えば、特許文献２参照）等が提案されているが、上記の問題は未だ十分に解消されていない。
【特許文献１】特開平１１−２３４４９６号公報
【特許文献２】特開平０６−１２５３８２号公報
【発明の開示】
【発明が解決しようとする課題】
【０００３】
本発明は、ファイル転送する際のあて先指定の手間を軽減することを課題とする。
【課題を解決するための手段】
【０００４】
請求項１記載の発明は、ネットワークに接続するためのインターフェースを備え、ファイル転送機能を持つものであって、ファイル転送する際に、コンピュータブラウジングであて先一覧を取得し、取得結果からあて先を選択するあて先指定手段を有するものである。
【０００５】
請求項２記載の発明は、ネットワークに接続するためのインターフェースを備え、ファイル転送機能を持つネットワーク通信端末において、ファイル転送する際、ディレクトリサーバからあて先を検索して、検索結果からあて先を選択するあて先指定手段を有するものである。
【０００６】
請求項３記載の発明は、ネットワークに接続するためのインターフェースを備え、ファイル転送機能を持つネットワーク通信端末において、ファイル転送する際、過去のファイル転送履歴をファイル転送しようとしているユーザ毎に表示でき、そこからあて先を選択するあて先指定手段を有するものである。
【０００７】
請求項４記載の発明は、ネットワークに接続するためのインターフェースを備え、ファイル転送機能を持つネットワーク通信端末において、ファイル転送する際、過去のユーザ毎のファイル転送履歴に基づいて順位付けしてあて先を表示し、そこからあて先を選択するあて先指定手段を有するものである。
【０００８】
請求項５記載の発明は、ネットワークに接続するためのインターフェースを備え、ファイル転送機能を持つネットワーク通信端末において、ファイル転送する際に、コンピュータブラウジングであて先一覧を取得し、取得結果からあて先を選択する第１のあて先指定手段と、過去のファイル転送履歴をファイル転送しようとしているユーザ毎に表示でき、そこからあて先を選択する第２のあて先選択手段と、過去のユーザ毎のファイル転送履歴に基づいて順位付けしてあて先を表示し、そこからあて先を選択する第３のあて先指定手段と、第１、第２、第３のあて先指定手段から１つを選択する選択手段とを有することを特徴とするものである。
【０００９】
請求項６記載の発明は、ネットワークに接続するためのインターフェースを備え、ファイル転送機能を持つネットワーク通信端末において、ファイル転送する際に、ディレクトリサーバからあて先を検索して、検索結果からあて先を選択する第４のあて先指定手段と、過去のファイル転送履歴をファイル転送しようとしているユーザ毎に表示でき、そこからあて先を選択する第２のあて先指定手段と、過去のユーザ毎のファイル転送履歴に基づいて順位付けしてあて先を表示し、そこからあて先を選択する第３のあて先指定手段と、第４、第２、第３のあて先指定手段から１つを選択する選択手段とを有することを特徴とするものである。
【００１０】
請求項７記載の発明は、請求項１又は２記載のネットワーク通信端末において、前記ファイル転送機能は、ＳＭＢクライアント及び／又はＦＴＰクライアントであることを特徴とするものである。
【００１１】
請求項８記載の発明は、請求項３又は４記載のネットワーク通信端末において、前記ファイル転送機能は、メールクライアント、ＳＭＢクライアント、ＦＴＰクライアントの全部又はいずれかであることを特徴とするものである。
【００１２】
請求項９記載の発明は、請求項５又は６記載のネットワーク通信端末において、前記ファイル転送機能は、メールクライアント、ＳＭＢクライアント、ＦＴＰクライアントの全部又はいずれかであることを特徴とするものである。
【発明の効果】
【００１３】
ネットワーク通信端末のユーザは、あて先指定手段により簡単な操作であて先を指定することができる。
【発明を実施するための最良の形態】
【００１４】
前記課題を解決するために、本発明は、ユーザがあて先を入力する手間を少なくするためのあて先指定手段を備えている。
【実施例１】
【００１５】
図５は本発明の実施例によるネットワーク通信端末によりファイル転送を行う通信システムを示す。
図５において、複数のネットワーク通信端末（以下、通信端末という）１とサーバ２がインターネット等のネットワーク３に接続されている。通信端末１は、ネットワーク３に接続するためのインターフェースを備えると共に、ＳＭＢクライアントやＦＴＰクライアント等によるファイル転送機能を有する。サーバ２は、本実施例ではＷｅｂサーバであり、各通信端末のアドレス等を記載したあて先一覧（ブラウズリスト）とブラウザ一覧を保持している。
【００１６】
図１は本実施例１によるブラウジングの動作フローを示す。ここではブラウズリストの取得が共有フォルダの一覧取得に相当する。
図１において、ある通信端末１が他の通信端末１に対しファイル転送を行う場合は、サーバ２にアクセスしてブラウザ一覧を要求する（Ｓ１）。サーバ２から応答があり、ブラウザ一覧を取得したら、そのブラウザ一覧からブラウズリストを要求するブラウザを選択し選択した名前に基づいてブラウズリストを要求する（Ｓ３〜Ｓ５）。要求したブラウズリストを取得できるまで上記処理を行う（Ｓ６）。Ｓ２で応答が無い場合は、Ｓ７に示す処理を行ってブラウザ一覧を取得してもよい。
【００１７】
図２にコンピュータブラウジングを利用してあて先を指定するときの動作フローを示す。
・コンピュータブラウジングで共有フォルダの一覧を取得する。
・共有フォルダ一覧からあて先を選択する。
・あて先通信端末に対してファイル転送する。
本実施例１によれば、コンピュータブラウジング結果よりあて先を選択指定するので、あて先を入力することなくファイル転送が可能となる。
【実施例２】
【００１８】
本実施例２は、サーバ２にディレクトリサーバを用いている。また、通信端末１は、メールクライアント、ＳＭＢクライアント、ＦＴＰクライアント等のファイル転送機能を有する。図３はディレクトリサーバを利用してあて先を指定するときの動作フローを示す。
・ディレクトリサーバを利用するために、ネットワークにログオンする。
・ディレクトリサーバから共有フォルダを検索する。
・検索結果からあて先を選択する。
・あて先通信端末に対してファイル転送する。
【００１９】
前記実施例１のようにコンピュータブラウジングを用いた場合には、ネットワークにログオンしたユーザ以外でも一覧情報を取得できてしまうという問題がある。
本実施例２は、この問題を解決するためにディレクトリサーバを利用し、ログオンしていないユーザが一覧情報を見ることができないようにしたので、セキュリティを高めることができる。
また、本実施例２によれば、検索条件からファイル転送先を得ることができるので、あて先指定が簡単になる（ＩＰアドレスやファイルパス名などをあて先として意識する必要がない）。
【実施例３】
【００２０】
図４に本実施例３の動作フローを示す。
・ユーザＩＤを入力する（通信端末がユーザを識別するために必要とする）。
・ファイル転送履歴を表示させる。
・履歴からあて先を選択する（履歴は例えば最新のもの１０件等とする）。
・あて先に対してファイル転送する。
また、ユーザ毎の履歴を通信端末内部で保持するか、外部のディレクトリサーバに保持し、必要に応じて利用する方法が考えられる。
【００２１】
前記実施例１、２で、直前にファイル転送したあて先にもう一度ファイル転送したい場合に、コンピュータブラウジングやディレクトリ検索によりあて先を指定する方法は手間がかかる。
本実施例３は、この問題を解決するために、ファイル転送履歴を新しい順に表示し、選択させることにより、ユーザが少ない操作であて先を指定することができる。
即ち、本実施例３によれば、過去にファイル転送したことがある相手からあて先を選択するため、あて先指定が速くなる。また、履歴をユーザ毎に管理するので、自分のファイル転送履歴を他のユーザに見られることがない。
【実施例４】
【００２２】
動作フローは図４の実施例３と同じである。
実施例３と異なる部分は、ファイル転送履歴を頻度の順にあて先をソートして表示させる点である。
【００２３】
直前のあて先にもう一度ファイル転送したい場合に、コンピュータブラウジングやディレクトリ検索によりあて先を指定する方法は手間がかかる。
本実施例４は、この問題を解決するために、ファイル転送履歴を頻度順にソートして表示し選択させることにより、ユーザが少ない操作であて先を指定することができる。
即ち、実施例４によれば、ユーザ毎の履歴のファイル転送頻度が多い順にあて先を表示し、ユーザはそこからあて先を選択するため、あて先指定が速くなる（よく利用するあて先程速く見つけられる）。また、履歴をユーザ毎に管理するので、自分のファイル転送履歴を他のユーザに見られることがない。
【実施例５】
【００２４】
実施例１、３、４のいずれかのあて先指定方法を選択する。
・各実施例で説明したあて先指定方法の手順に従う。
本実施例５によれば、例えば、前回ファイル転送したあて先には履歴を利用してあて先指定を行い、一度もファイル転送したことがないあて先にはブラウジングであて先指定行う等、状況に応じ適切なあて先指定方法を選択できる。
【実施例６】
【００２５】
実施例２、３、４のいずれかのあて先指定方法を選択する。
・各実施例で説明したあて先指定方法の手順に従う。
本実施例６によれば、前回ファイル転送したあて先には履歴を利用してあて先指定を行い、一度もファイル転送したことがないあて先にはディレクトリ検索であて先指定行うなど状況に応じたあて先指定方法を選択できる。
即ち、実施例５、６によれば、複数のあて先指定方法から１つの方法をユーザがファイル転送時に選択できるようにしたので、ユーザが少ない操作であて先を指定することができる。
【図面の簡単な説明】
【００２６】
【図１】本発明の実施例１によるブラウジング手順を示すフローチャートである。
【図２】本発明の実施例１による動作を示すフローチャートである。
【図３】本発明の実施例２による動作を示すフローチャートである。
【図４】本発明の実施例３、４による動作を示すフローチャートである。
【図５】本発明の実施例によるネットワーク通信端末を用いた通信システムを示すブロック図である。
【符号の説明】
【００２７】
１    ネットワーク通信端末
２    サーバ
３    ネットワーク
【図１】
2005084981.tif 000003
【図２】
2005084981.tif 000004
【図３】
2005084981.tif 000005
【図４】
2005084981.tif 000006
【図５】
2005084981.tif 000007